(57)【要約】【課題】小さく、且つ、解像度の低いモニター上においても、正確にピントを合わせることが可能な電子撮像装置を提供する。【解決手段】撮像光学系（レンズユニット２１）と、電気的撮像手段（撮像部４０）と、撮影に先立ちフォーカス位置を変化させながら撮像画面内の合焦度合いデータを取得し合焦のための調整を行う合焦調整手段（モータドライバ２２など）と、撮像画面内のどこに合焦させるかを決定する合焦箇所決定手段（ＣＰＵ３１）と、撮像済み画像を記録する記録手段（メモリカード６２）とを備えてなる電子撮像装置において、撮像済み画像データと前記合焦度合いデータと前記合焦箇所データとを、前記記録手段に記録する構成としてある。【選択図】図５
2009027401.tif 000002
【特許請求の範囲】
【請求項１】
撮像光学系と、電気的撮像手段と、撮影に先立ちフォーカス位置を変化させながら撮像画面内の合焦度合いデータを取得し合焦のための調整を行う合焦調整手段と、撮像画面内のどこに合焦させるかを決定する合焦箇所決定手段と、撮像済み画像を記録する記録手段とを備えてなる電子撮像装置において、
撮像済み画像と、前記合焦調整手段により取得した合焦度合いデータと、前記合焦箇所決定手段により決定した合焦箇所データとを、前記記録手段に記録可能にしたことを特徴とする電子撮像装置。
【請求項２】
請求項１記載の電子撮像装置において、
前記合焦度合いデータは、撮像信号の高周波成分を抽出して作成したＡＦ評価値データであることを特徴とする電子撮像装置。
【請求項３】
請求項１記載の電子撮像装置において、
前記合焦箇所データは、撮像画面内の所定分割された座標、または所定分割された領域を示すデータであることを特徴とする電子撮像装置。
【請求項４】
請求項１〜請求項３記載の電子撮像装置において、
撮影前または撮影後における、少なくとも画像および文字を表示する表示手段を備え、
前記表示手段に画像を表示する際に、該画像に対応した合焦箇所データと合焦度合いデータとを合わせて表示することを特徴とする電子撮像装置。
【請求項５】
請求項４記載の電子撮像装置において、
前記表示手段に前記合焦箇所データに基づいた合焦箇所を表示する際に、該合焦箇所を所定色のマークにて表示することを特徴とする電子撮像装置。
【請求項６】
請求項４記載の電子撮像装置において、
前記表示手段に前記合焦箇所データに基づいた合焦箇所を表示する際に、該合焦箇所以外をぼかして表示することを特徴とする電子撮像装置。
【請求項７】
請求項４記載の電子撮像装置において、
前記表示手段に前記合焦箇所データに基づいた合焦箇所を表示する際に、該合焦箇所のみを表示することを特徴とする電子撮像装置。
【請求項８】
請求項４記載の電子撮像装置において、
前記表示手段に前記合焦箇所データに基づいた合焦箇所を表示する際に、該合焦箇所と合焦箇所以外の輝度を異ならせて表示することを特徴とする電子撮像装置。
【請求項９】
請求項４記載の電子撮像装置において、
前記表示手段に前記合焦度合いデータを表示する際に、前記ＡＦ評価値を所定段階に分割して表示することを特徴とする電子撮像装置。
【請求項１０】
請求項４〜請求項９記載の電子撮像装置において、
撮像開始トリガとして半押しすることでフォーカス駆動終了まで行い、押し込むことで撮像保存までを行うための２段レリーズスイッチを有し、再生時に前記２段レリーズスイッチを半押しすることにより、合焦箇所と合焦度合いの表示を行うことを特徴とする電子撮像装置。
【請求項１１】
撮像光学系と、電気的撮像手段と、撮影に先立ちフォーカス位置を変化させながら撮像画面内の合焦度合いデータを取得し合焦のための調整を行う合焦調整手段と、撮像画面内のどこに合焦させるかを決定する合焦箇所決定手段と、撮像済み画像を記録する記録手段とを備えてなる電子撮像装置において、
撮像済み画像を記録する画像ファイル中に、前記合焦調整手段により取得した合焦度合いデータと、前記合焦箇所決定手段により決定した合焦箇所データとを、合わせて記録可能にしたことを特徴とする電子撮像装置。
【請求項１２】
請求項１１記載の電子撮像装置において、
前記合焦度合いデータと前記合焦箇所データとを、前記画像ファイルのヘッダ領域に記録可能にしたことを特徴とする電子撮像装置。
【請求項１３】
請求項１１〜請求項１２記載の電子撮像装置において、
前記合焦度合いデータと前記合焦箇所データとを、カメラの画像規格であるExifフォーマット規格におけるヘッダ領域中のメーカノート領域に記録可能にしたことを特徴とする電子撮像装置。
【請求項１４】
撮像光学系と、電気的撮像手段と、撮影に先立ちフォーカス位置を変化させながら撮像画面内の合焦度合いデータを取得し合焦のための調整を行う合焦調整手段と、撮像画面内のどこに合焦させるかを決定する合焦箇所決定手段と、撮像済み画像を記録する記録手段とを備えてなる電子撮像装置において、
撮像済み画像を記憶する画像ファイルに対し、前記合焦調整手段により取得した合焦度合いデータと、前記合焦箇所決定手段により決定した合焦箇所データとを、関連させて記録可能にしたことを特徴とする電子撮像装置。
【請求項１５】
請求項１４記載の電子撮像装置において、
前記関連させて記録する方式として、前記画像ファイルと前記合焦度合いデータのファイルと前記合焦箇所データのファイルとの３つのファイル名を同一とし、拡張子を異ならせて記録可能にしたことを特徴とする電子撮像装置。
【請求項１６】
請求項１５記載の電子撮像装置において、
前記関連させて記録する方式として、前記記録手段内に新規にフォルダを作成し、前記画像ファイルと前記合焦度合いデータのファイルと前記合焦箇所データのファイルとの３つのファイルを同一フォルダに記録可能にしたことを特徴とする電子撮像装置。
【請求項１７】
請求項１記載の撮像装置により記録された画像を表示する画像表示装置であって、
撮影前または撮影後における、少なくとも画像および文字を表示する表示手段を備え、
該表示手段は、前記記録手段に記録した撮像済み画像と、前記合焦調整手段により取得した合焦度合いデータと、前記合焦箇所決定手段により決定した合焦箇所データとを表示することを特徴とする画像表示装置。
【発明の詳細な説明】
【技術分野】
【０００１】
本発明は、電子撮像装置に関し、特に、小さく、且つ、解像度の低いモニター上においても、正確にピントを合わせることが可能な電子撮像装置に関する。
【背景技術】
【０００２】
デジタルスチルカメラ（電子撮像装置、以下、「カメラ」と記す場合もある）の普及、特にオートフォーカス機能付きカメラの発達と共に、誰もが手軽に写真を撮ることが可能になってきた。さらに、近年、カメラのオートフォーカスの性能も向上してきている。
しかし、撮影者にとっては、カメラに一体化されたモニターに表示された被写体の合焦位置が、どの場所であるかを、短時間のうちに判別するのは困難である。
【０００３】
かかる困難さの解決手段として、例えば、合焦位置を撮影者が一目で判別可能にする目的で、撮影時に合焦ポイントにマークを付けたり、点滅表示を行うアイディアが提案されている（例えば、特許文献１）。
【特許文献１】特開２００６−１０９１９９号公報（第１３頁、図５）
【発明の開示】
【発明が解決しようとする課題】
【０００４】
しかしながら、撮影後のモニターでの簡易確認でピントが合っていると判断しても、撮像済みの画像を拡大再生したり、或いは印刷すると、予想に反してピンボケ画像であったり、予定とは違う場所にピントが合っており、結果的に失敗写真となってしまうという問題点があった。
この原因は、カメラのモニターが小さく、またモニターの解像度が低いため、モニター画面上でピントの合った画像を確認することが難しいことや、ピントがあった場所を撮影後に確認できないことにあった。
【０００５】
本発明は上記の問題を解決すべくなされたものであり、小さく、且つ、解像度の低いモニター上においても、正確にピントを合わせることが可能な電子撮像装置を提供することを目的とする。
【課題を解決するための手段】
【０００６】
この目的を達成するために請求項1記載の発明は、撮像光学系（レンズユニット２１）と、電気的撮像手段（撮像部４０）と、撮影に先立ちフォーカス位置を変化させながら撮像画面内の合焦度合いデータを取得し合焦のための調整を行う合焦調整手段（モータドライバ２２など）と、撮像画面内のどこに合焦させるかを決定する合焦箇所決定手段（ＣＰＵ３１）と、撮像済み画像を記録する記録手段（メモリカード６２）とを備えてなる電子撮像装置において、
撮像済み画像と、前記合焦調整手段により取得した合焦度合いデータと、前記合焦箇所決定手段により決定した合焦箇所データとを、前記記録手段に記録可能にする構成としてある。
なお、例えば電気的撮像手段（撮像部４０）のように、カッコ内に部材名と部材番号を記したのは、請求項上の「手段」と実施の形態の「部材名・部材番号」との対応関係を、参考のために記したものである。
【０００７】
以上の構成を図示すると、例えば図２に示すようになる。そして、撮像済み画像と合焦度合いデータと合焦箇所データとを記録手段（メモリカード６２）に記録しておけば、撮像済み画像を見た場合に、その画像の合焦度合いデータと合焦箇所データとを確認することができる。
【０００８】
また、請求項２記載の発明は、請求項１記載の電子撮像装置において、
前記合焦度合いデータは、撮像信号の高周波成分を抽出して作成したＡＦ評価値データである構成としてある。
このようにすれば、ＡＦ評価値を得ることにより、撮影後においても合焦箇所が分かる。
【０００９】
また、請求項３記載の発明は、請求項１記載の電子撮像装置において、
前記合焦箇所データは、撮像画面内の所定分割された座標、または所定分割された領域を示すデータである構成としてある。
このようにすれば、撮像画面の任意の位置の合焦箇所データを得ることができる。
【００１０】
また、請求項４記載の発明は、請求項１〜請求項３記載の電子撮像装置において、
撮影前または撮影後における、少なくとも画像および文字を表示する表示手段（表示装置１０）を備え、
前記表示手段に画像を表示する際に、該画像に対応した合焦箇所データと合焦度合いデータとを合わせて表示する構成としてある。
このようにすれば、表示手段に画像と合焦箇所データと合焦度合いデータとの対応関係を表示するので、これらデータの対応関係を一目で把握できる。
【００１１】
また、請求項５記載の発明は、請求項４記載の電子撮像装置において、
前記表示手段に前記合焦箇所データに基づいた合焦箇所を表示する際に、該合焦箇所を所定色のマークにて表示する構成としてある。
このようにすれば、合焦箇所が所定色のマークで表示手段に表示するので、一目で合焦箇所を判別できる。
【００１２】
また、請求項６記載の発明は、請求項４記載の電子撮像装置において、
前記表示手段に前記合焦箇所データに基づいた合焦箇所を表示する際に、該合焦箇所以外をぼかして表示する構成としてある。
以上の作用を図示すると、表示手段には例えば図５（Ａ）に示すように表示される。このようにすれば、表示手段に焦箇所以外をぼかして表示するので、合焦箇所を強調することができる。
【００１３】
また、請求項７記載の発明は、請求項４記載の電子撮像装置において、
前記表示手段に前記合焦箇所データに基づいた合焦箇所を表示する際に、該合焦箇所のみを表示する構成としてある。
以上の作用を図示すると、表示手段には例えば図５（Ｃ）に示すように、合焦箇所のみを表示する。このようにすれば、表示手段に合焦箇所のみを表示するので、合焦箇所を一目で判別することができる。
【００１４】
また、請求項８記載の発明は、請求項４記載の電子撮像装置において、
前記表示手段に前記合焦箇所データに基づいた合焦箇所を表示する際に、該合焦箇所と合焦箇所以外の輝度を異ならせて表示する構成としてある。
以上の作用を図示すると、表示手段には例えば図５（Ｂ）に示すように表示される。このようにすれば、表示手段に合焦箇所と合焦箇所以外の輝度を異ならせて表示するので、合焦箇所を容易に判別できる。
【００１５】
また、請求項９記載の発明は、請求項４記載の電子撮像装置において、
前記表示手段に前記合焦度合いデータを表示する際に、前記ＡＦ評価値を所定段階に分割して表示する構成としてある。
以上の作用を図示すると、表示手段には例えば図７に示すように表示される。このようにすれば、表示手段には合焦度合いデータが段階表示されるので、撮影者などは納得して撮像データを印刷し、或いは大型画面（例えば、テレビ）に映出することができる。
【００１６】
また、請求項１０記載の発明は、請求項４〜請求項９記載の電子撮像装置において、
撮像開始トリガとして半押しすることでフォーカス駆動終了まで行い、押し込むことで撮像保存までを行うための２段レリーズスイッチ（レリーズシャッター（ＳＷ１））を有し、再生時に前記２段レリーズスイッチを半押しすることにより、合焦箇所と合焦度合いの表示を行う構成としてある。
以上の作用を図示すると、例えば図３に示すようになる。このようにすれば、１個の２段レリーズスイッチ（レリーズシャッターＳＷ１）によって、フォーカス駆動・撮影・撮像保存・合焦箇所と合焦点度合いの表示を実施することができる。
【００１７】
また、請求項１１記載の発明は、  撮像光学系（レンズユニット２１）と、電気的撮像手段（撮像部４０）と、撮影に先立ちフォーカス位置を変化させながら撮像画面内の合焦度合いデータを取得し合焦のための調整を行う合焦調整手段（モータドライバ２２など）と、撮像画面内のどこに合焦させるかを決定する合焦箇所決定手段（ＣＰＵ３１）と、撮像済み画像を記録する記録手段（メモリカード６２）とを備えてなる電子撮像装置において、
撮像済み画像を記録する画像ファイル中に、前記合焦調整手段により取得した合焦度合いデータと、前記合焦箇所決定手段により決定した合焦箇所データとを、合わせて記録する構成としてある。
このようにすれば、撮像済み画像を記録する画像ファイルと合焦度合いデータと合焦箇所データと一組として、画像ファイルに記録しておくことができるので、撮影者などが再生する際に一目で前記３つのデータの対応関係を把握できる。
【００１８】
また、請求項１２記載の発明は、請求項１１記載の電子撮像装置において、
前記合焦度合いデータと前記合焦箇所データとを、前記画像ファイルのヘッダ領域に記録する構成としてある。
以上の記録構成を図示すると、例えば図８（Ａ），（Ｂ）に示すようになる。このようにすれば、ヘッダ領域（タグ情報）内の画像ファイル、合焦度合いデータと画像データを対にすることにより、撮像後においても合焦箇所を知ることができる。
【００１９】
また、請求項１３記載の発明は、請求項１１〜請求項１２記載の電子撮像装置において、
前記合焦度合いデータと前記合焦箇所データとを、カメラの画像規格であるExifフォーマット規格におけるヘッダ領域中のメーカノート領域に記録する構成としてある。
以上の構成を図示すると、例えば図８（Ａ），（Ｂ）に示すようになる。このようにすれば、ExifはEIDA（日本電子工業振興協会）で規格化された画像フォーマットなので、合焦度合いデータと合焦箇所データとを記録するために、新規に記録用のメモリを用意する必要がない。
【００２０】
また、請求項１４記載の発明は、撮像光学系（レンズユニット２１）と、電気的撮像手段（撮像部４０）と、撮影に先立ちフォーカス位置を変化させながら撮像画面内の合焦度合いデータを取得し合焦のための調整を行う合焦調整手段（モータドライバ２２など）と、撮像画面内のどこに合焦させるかを決定する合焦箇所決定手段（ＣＰＵ３１）と、撮像済み画像を記録する記録手段（メモリカード６２）とを備えてなる電子撮像装置において、
撮像済み画像を記憶する画像ファイルに対し、前記合焦調整手段により取得した合焦度合いデータと、前記合焦箇所決定手段により決定した合焦箇所データとを、関連させて記録する構成としてある。
このようにすれば、画像ファイルと合焦度合いデータと合焦箇所データとの関連を、容易に把握することができる。
【００２１】
また、請求項１５記載の発明は、請求項１４記載の電子撮像装置において、
前記関連させて記録する方式として、前記画像ファイルと前記合焦度合いデータのファイルと前記合焦箇所データのファイルとの３つのファイル名を同一とし、拡張子を異ならせて記録する構成としてある。
以上の構成を図示すると、例えば図９（Ｂ）に示すようになる。このようにすれば、例えば拡張子を「画像Ａjpg、画像Ａ.kasyo、画像Ａ.doai」とすることにより、同じ画像Ａのデータだと分かり、画像データと合焦度合いデータと合焦箇所データを対に管理することができる。
【００２２】
また、請求項１６記載の発明は、請求項１５記載の電子撮像装置において、
前記関連させて記録する方式として、前記記録手段内に新規にフォルダを作成し、前記画像ファイルと前記合焦度合いデータのファイルと前記合焦箇所データのファイルとの３つのファイルを同一フォルダに記録する構成としてある。
このようにすれば、画像ファイルと合焦度合いデータのファイルと合焦箇所データのファイル３つのファイルを、同一フォルダに記録するので、データ整理が容易になる。
【００２３】
また、請求項１７記載の発明は、請求項１記載の撮像装置により記録された画像を表示する画像表示装置であって、
撮影前または撮影後における、少なくとも画像および文字を表示する表示手段を備え、
該表示手段は、前記記録手段に記録した撮像済み画像と、前記合焦調整手段により取得した合焦度合いデータと、前記合焦箇所決定手段により決定した合焦箇所データとを表示する構成としてある。
このようにすれば、画像表示装置の表示手段に、撮像済み画像と合焦度合いデータと合焦箇所データとを表示することが可能となり、撮像済み画像を見た場合に、その画像の合焦度合いデータと合焦箇所データとを確認することができる。
【発明の効果】
【００２４】
請求項１記載の発明によれば、撮像済み画像データと合焦度合いデータと合焦箇所データとを記録手段に記録しておけば、撮像済み画像データを見た場合に、その画像データの合焦度合いデータと合焦箇所データとを確認することができる。
請求項２記載の発明によれば、ＡＦ評価値を得ることにより、撮影後においても合焦箇所が分かる。
請求項３記載の発明によれば、撮像画面の任意の位置の合焦箇所データを得ることができる。
【００２５】
請求項４記載の発明によれば、表示手段に画像と合焦箇所データと合焦度合いデータとの対応関係を表示するので、これらデータの対応関係を一目で把握できる。
請求項５記載の発明によれば、合焦箇所が所定色のマークで表示手段に表示されるので、一目で合焦箇所を判別できる。
請求項６記載の発明によれば、表示手段に焦箇所以外をぼかして表示されるので、合焦箇所を強調することができる。
【００２６】
請求項７記載の発明によれば、表示手段に合焦箇所のみが表示されるので、合焦箇所を一目で判別することができる。
請求項８記載の発明によれば、表示手段に合焦箇所と合焦箇所以外の輝度を異ならせて表示するので、合焦箇所を容易に判別できる。
【００２７】
請求項９記載の発明によれば、表示手段には合焦度合いデータが段階表示されるので、撮影者などは納得して撮像データを印刷し、或いは大型画面（例えば、テレビ）に映出することができる。
請求項１０記載の発明によれば、１個の２段レリーズスイッチによって、フォーカス駆動・撮影・撮像保存・合焦箇所と合焦点度合いの表示を実施することができる。
【００２８】
請求項１１記載の発明によれば、撮像済み画像を記録する画像ファイルと合焦度合いデータと合焦箇所データと一組として、画像ファイルに記録しておくことができるので、撮影者などが再生する際に一目で前記３つのデータの対応関係を把握できる。
請求項１２記載の発明によれば、ヘッダ領域（タグ情報）内の画像ファイル、合焦度合いデータと画像データを対にすることにより、撮像後においても合焦箇所を知ることができる。
【００２９】
請求項１３記載の発明によれば、ExifはEIDA（日本電子工業振興協会）で規格化された画像フォーマットなので、合焦度合いデータと合焦箇所データとを記録するために、新規に記録用のメモリを用意する必要がない。
請求項１４記載の発明によれば、画像ファイルと合焦度合いデータと合焦箇所データとの関連を、容易に把握することができる。
【００３０】
請求項１５記載の発明によれば、例えば拡張子を「画像Ａjpg、画像Ａ.kasyo、画像Ａ.doai」とすることにより、同じ画像Ａのデータだと分かり、画像データと合焦度合いデータと合焦箇所データを対に管理することができる。
請求項１６記載の発明によれば、画像ファイルと合焦度合いデータのファイルと合焦箇所データのファイル３つのファイルを、同一フォルダに記録するので、データ整理が容易になる。
請求項１７記載の発明によれば、画像表示装置で撮像済み画像を見た場合に、その画像の合焦度合いデータと合焦箇所データとを確認することができる。
【００３１】
さらに、上記の各効果に加え、本発明には次の効果がある。
（１）撮影後に再度合焦位置と合焦度合いが確認できるので、カメラの合焦位置選択の癖や得手不得手の被写体に関する学習を行うことができ、経験値として次の撮影に活かすことができる。
（２）撮影後に合焦位置を合焦度合いが確認できるので、再撮影するかどうかを適切に判断でき念のためなどの理由での無駄な撮影を防止し省エネ、省資源に貢献できる。
（３）合焦部以外をぼかしたり、表示輝度を変えたりするために、従来より合焦箇所確認が著しく向上し、特に中高年の画像確認しやすさが向上する。
【発明を実施するための最良の形態】
【００３２】
以下、本発明を図示の実施の形態に基いて説明する。
図１は本実施の形態に使用する電子撮像装置の一例であるデジタルスチルカメラの外観図であって、（Ａ）は上面図、（Ｂ）は正面図、（Ｃ）は裏面図である。
図２は同カメラのブロック図である。
【００３３】
図１（Ａ）〜（Ｃ）に示すように、カメラＤＳＣのボディーの上面には，レリーズシャッターＳＷ1、モードダイアルＳＷ２、サブＬＣＤ１が配設されている。
また、ボディーの正面には、メモリカード／電池蓋２、光学ファインダ（正面）３、ストロボ発光部４、測距ユニット５、リモコン受光部６、鏡胴ユニット７が配設されている。
また、ボディーの裏面には、光学ファインダ（裏面）３、オートフォーカスＬＥＤ８、ストロボＬＥＤ９、ＬＣＤモニター（表示装置）１０、電源ＳＷ（電源スイッチ）１１、ズームスイッチ（WIDE）ワイド）ＳＷ３、ズームスイッチ（TELE）ＳＷ４、セルフタイマ／削除スイッチＳＷ５、メニュースイッチＳＷ６、上／ストロボスイッチＳＷ７、右／クイックレビュースイッチＳＷ８、ディスプレイスイッチＳＷ９、下／マクロスイッチＳＷ1０、左／画像確認スイッチＳＷ１１、オーケースイッチＳＷ１２が配設されている。
なお、後述するレリーズシャッターＳＷ１を除いては、それぞれのスイッチの機能は周知であるので、説明を省略する。
【００３４】
図２に示すブロック図において、各部材は以下の作用を行う。
レンズユニット（ズームレンズ、フォーカスレンズ）２１は、モータドライバ２２によって駆動される。モータドライバ２２は、信号処理ＩＣ３０の内部に含まれるマイクロコンピュータ（ＣＰＵ、以下、マイコン）３１によって制御される。
撮像部４０は、ＣＣＤ４１、該ＣＣＤ４１を駆動するタイミング信号発生器（以下、ＴＧ）４２、ＣＣＤ４１からの出力データから画像信号をサンプリングするＣＤＳ４３、アナログゲインコントローラ（以下、ＡＧＣ）４４、ＣＣＤ出力電気信号（アナログ画像データ）をデジタル信号に変換するＡ／Ｄ変換器４５から構成されている。ここで、ＣＤＳ４３とＡＧＣ４４とＡ／Ｄ変換器４５をアナログフロントエンド（ＡＦＥ）４６とする。
【００３５】
発振器（図示省略）は、マイコン３１を含む信号処理ＩＣ３０のシステムクロックとＴＧ４２にクロックを供給している。ＴＧ４２はこのクロックを受けて、ピクセル同期をするためのピクセルクロックを信号処理ＩＣ３０内のＣＣＤＩ／Ｆ部３２とＡＦＥ４６に供給する。さらに、ＴＧ４２からＣＣＤ４１およびＡＦＥ４６にそれぞれの駆動信号が供給される。
撮像部４０から信号処理ＩＣ３０に入力されたデジタルデータは、ＣＣＤＩ／Ｆ部３２を介して、画像蓄積部（フレームメモリ）であるＳＤＲＡＭ５０にＲＧＢデータとして一時保管される。
【００３６】
信号処理ＩＣ３０は、ＣＣＤＩ／Ｆ部３２、表示Ｉ／Ｆ部３４、画像現像部３５、ＹＵＶ変換部３６、圧縮ブロック部３７、JPEGコーデック部（図示省略）、カードコントローラ部（図示省略）、Ａ／Ｄ変換部（ＡＤＣ）（図示省略）、Ｄ／Ａ変換部（ＤＡＣ）（図示省略）、システム制御を行うマイコン（ＣＰＵ）３１を備えて構成されている。
ＣＣＤＩ／Ｆ部３２は、画面水平同期信号（ＨＤ）と画面垂直同期信号（ＶＤ）の出力を行い、その同期信号に合わせてＡＦＥ４６のＡ／Ｄ変換器４５から入力されるデジタルＲＧＢ信号を取り込んで、メモリコントローラ３３経由でＳＤＲＡＭ５０にＲＧＢデータの書き込みを行う。
【００３７】
画像現像部３５は、制御部であるマイコン３１から設定された画像現像処理パラメータに基づき、ＳＤＲＡＭ５０に一時保管されたＲＧＢデータを輝度Ｙと色差ＣｂＣｒデータに変換処理し、ＳＤＲＡＭ５０へ書き戻す。
表示Ｉ／Ｆ部３４はＳＤＲＡＭ５０に書き込まれた表示用データを表示装置（ＬＣＤモニター）１０に送り、撮影画像の表示を行う。この表示装置１０は、カメラが内蔵している表示装置に表示することも、ＴＶビデオ信号として出力して、テレビに表示することも可能である。
表示用データは、自然画像のＹＣｂＣｒと、撮影モードアイコンなどを表示するＯＳＤ（オンスクリーンディスプレイ）データであり、いずれもＳＤＲＡＭ５０上に置かれたデータをメモリコントローラ３３が読み出して表示Ｉ／Ｆ部３４に送り、該表示Ｉ／Ｆ部３４で合成したデータをビデオデータとして出力する。
【００３８】
JPEGコーデック部５１は、記録時はＳＤＲＡＭ５０に書き込まれたＹＣｂＣｒデータを圧縮してJPEG符号化されたデータを出力し、再生時はカードより読み出したJPEG符号化データをＹＣｂＣｒデータに伸張して出力する。
カードコントローラ部（図示省略）は、マイコン３１の指示により、メモリカード６２内のデータをＳＤＲＡＭ５０に読み出したり、ＳＤＲＡＭ５０上のデータをメモリカード６２に書き込んだりする。
【００３９】
全体の動作を制御する制御部であるマイコン（ＣＰＵ）３１は、起動時にＲＯＭ（図示省略）に格納されたプログラムおよび制御データをＳＤＲＡＭ５０にロードし、そのプログラムコードに基づいて全体の動作を制御する。マイコン３１は、操作部６３のボタン等による指示、或は図示しないリモコン等の外部動作指示、或はパーソナルコンピュータ等の外部端末（図示省略）からの通信による通信動作指示に従い、撮像動作制御、画像現像処理部３５における画像現像処理パラメータの設定、メモリコントロール、表示制御を行う。
操作部６３は、撮影者が電子撮像装置（デジタルスチルカメラＤＳＣ）の動作指示を行うためのものであり、撮影を指示する２段レリーズキー（レリーズシャッターＳＷ１）、光学ズーム及び電子ズーム倍率を設定するズームボタン（ＳＷ３，ＳＷ４）、露光モード選択などのその他の各種設定を外部から行うためのボタンを備えている（図１参照）。６４は音声発生用のスピーカーである。
【００４０】
＜撮影動作の一連の流れ説明＞
次に、カメラＤＳＣの撮影動作の一連の流れを簡単に説明する。
サブマイコン（図示省略）がカメラＤＳＣの電源ＳＷ１１がＯＮされたことを検出すると、マイコン３１はＣＣＤ４１、発振器、ＴＧ４２、ＡＦＥ４６、ＣＣＤＩ／Ｆ部３２、表示Ｉ／Ｆ部３４、画像現像部３５、ビデオアンプ（図示省略）等に所定の設定を行う。
【００４１】
この設定により、レンズユニット２１を通して入射した光学像はＣＣＤ４１で光電変換され、アナログ信号としてＡＦＥ４６へ出力される。
ＡＦＥ４６では、ゲイン調整やＡ／Ｄ変換がなされてデジタル信号としてＣＣＤＩ／Ｆ部３２に入力される。ＣＣＤＩ／Ｆ部３２では黒レベル調整等の処理が行われて、ＳＤＲＡＭ５０に一旦保存される。
【００４２】
このＳＤＲＡＭ５０に保存された「ＲＡＷ−ＲＧＢ画像データ」５２は画像現像部３５に読み出されて、ガンマ変換処理、ホワイトバランス処理、エッジエンハンス処理、ＹＵＶ変換処理が行われ、「ＹＵＶ画像データ」５３としてＳＤＲＡＭ５０へ書き戻される。
「ＹＵＶ画像データ」５３は表示Ｉ／Ｆ部３４に読み出され、例えば出力先がＮＴＳＣシステムのテレビ（ＴＶ）であれば、そのＴＶシステムに合わせた水平・垂直の変倍処理を行い、ＴＶに出力される。この処理がＶＤ（垂直同期信号）ごとに行われることで、スチル撮影前の確認用の表示であるモニタリングが行われる。
【００４３】
＜動作説明＞
次に、本実施の形態の動作を、図３に示したフローチャートを参照しつつ説明する。
図３に示すように、被写体をターゲット（ＡＦエリア）に収め（図４（Ａ）参照）（ステップＳ１）、レリーズシャッターＳＷ１を半押しにして（ステップＳ２）、レンズユニット２１のフォーカスレンズを駆動しながら撮像画面中の所定の複数座標部分または複数領域部分それぞれにおけるＡＦ評価値のサンプリングを行う（ステップＳ３）。ここに、ＡＦ評価値とは、ハイパスフィルタ出力量を言い、合焦の度合いを示す値である。
【００４４】
次いで、フォーカスレンズのフォーカス位置を至近から無限またはその逆に移動させ、各フィールドの映像信号のハイパスフィルタの出力値が最大になった箇所、または、出力が所定以上でもっとも距離が近い場所を合焦箇所とし（図４（Ｂ）参照）、その時のＡＦ評価値データと、合焦箇所の座標データまたは領域データをそれぞれ合焦度合いデータ、合焦箇所データとする（ステップＳ４）。そして、レリーズシャッターＳＷ１を全押しして被写体を記録する（ステップＳ５）。このとき、画像データと前記合焦度合いデータと合焦箇所データの３つを記録する（ステップＳ６）。前記３つのデータをメモリカード６２に記録することにより、撮像後も合焦箇所とその合焦度合いを確認することが可能となる。
【００４５】
＜合焦箇所の表示方法…１＞
合焦箇所の表示については、記録した合焦箇所データ（座標データまたは領域データ）に基づき、撮影後の簡易再生時や、再生時に所定座標または所定領域位置に表示する。表示の際は、表示されている画像の上に自然界に少ない色（ピンクや紫など）で合焦点マーク（×印など）を付けることにより、ユーザーは合焦点位置を容易に確認することができる。
【００４６】
＜合焦箇所の表示方法…２＞
再生時の合焦箇所表示の別の例としては、特開平０１−２８７５１２号公報に開示されているように、デフォーカス量に基づいて被写体の距離分布をパターン分けし、パターン毎に最適なデフォーカス量を決定するパターン認識アルゴリズムを利用して、合焦箇所以外の画像データをぼけさせて合焦箇所を見やすくすることが可能である（図５（Ａ）参照）。
【００４７】
＜合焦箇所の表示方法…３＞
さらに、再生時の合焦箇所表示の例としては、特開２００１−６９４９４号公報に開示されているように、画像に映るプライバシーゾーンをマスキングするマスクデータを保持し、このデータに従って画像の一部をマスキングするように構成する技術を用いて、合焦箇所以外の画像データにマスクをかけて合焦箇所のみの表示し（図５（Ｂ）参照）、また、合焦箇所以外を暗くして合焦箇所を見やすくすることも可能である（図５（Ｃ）参照）。
【００４８】
＜変形例…合焦箇所を表示しない場合＞
前記いずれかの表示方法で常時表示を行うと、再生し鑑賞する時に合焦箇所マークが目障りになることがある。かかる不都合を解決したのが本変形例である。
本変形例では、図６に示すように、再生画を選択し（ステップＳ１１）、レリーズシャッターＳＷ１を半押し（レリーズ１段目ＯＮ状態）のときに（ステップＳ１２）、前述の各種の合焦箇所表示機能が現れ（ステップＳ１３）、レリーズシャッターＳＷ１を離したときには（ステップＳ１４：ＹＥＳ）、合焦箇所表示機能を伴わない画像データのみが表示されるようにした（ステップＳ１５）。
【００４９】
＜合焦箇所の表示方法…４＞
また、合焦度合いデータ表示については、ＡＦ評価値（図４（Ｂ）参照）の値を数値化し、その数値を画面上に表示する。さらに、数値では分かり難い場合も考えられるので、例えば８ビットデータの場合であれば、２００以上を「優」、１９９〜１５０を「良」、１５０〜合焦限界評価値までを「可」と表示したり、同様にして更に細かく分割し、図７に示すように、一般的に理解しやすい１０段階や、５段階評価として表示するようにしてもよい。
【００５０】
＜合焦箇所の表示方法…５＞
JEIDA（日本電子工業振興協会）で規格化された画像フォーマットとしてExif（Exchangeable
Image File Format）がある（図８（Ａ）参照）。このExifのヘッダー部タグ情報（メーカごとの個別領域（メーカノート部））に、カメラの機種、撮影日時、絞り、シャッタースピードなどの情報と共に、合焦度合い、合焦箇所の各データを書き込み保存してもよい（図８（Ｂ）参照）。
このようにすれば、タグ情報内の画像ファイル、合焦度合いデータと画像データを対にすることにより、撮像後においても合焦箇所を知ることができる。
【００５１】
＜画像データ、合焦点度合いデータなどに、拡張子を付す＞
また、画像データ、合焦度合いデータ、合焦箇所データを同ファイル名の異なる拡張子などを付けることにより、同一フォルダ上に画像データ、合焦箇所データ、合焦度合データを記録することができ、ファイル名が同じで拡張子を変えることにより、画像データと合焦箇所データと合焦度合データを対に管理することができる。
例えば、図９（Ａ），（Ｂ）に示すように、任意の画像データ名を画像Ａとしたとき、画像データの拡張子を「jpg」、合焦箇所データの拡張子を「kasyo」、合焦度合いの拡張子を「doai」などのようにして、「画像Ａjpg、画像Ａ.kasyo、画像Ａ.doai」とすることにより、同じ画像のデータだと分かり、画像データと合焦度合いデータと合焦箇所データを対に管理することができる。
【図面の簡単な説明】
【００５２】
【図１】本発明の実施の形態に使用する電子撮像装置の一例であるデジタルスチルカメラの外観図であって、（Ａ）は上面図、（Ｂ）は正面図、（Ｃ）は裏面図である。
【図２】前記カメラのブロック図である。
【図３】前記カメラの動作を示すフローチャートである。
【図４】前記カメラの合焦動作を示す図であって、（Ａ）はＡＦエリアを示す図、（Ｂ）はＡＦエリア内における合焦ピークを示す図である。
【図５】合焦箇所を強調する図であって、（Ａ）は合焦箇所以外をぼかした場合、（Ｂ）は合焦箇所以外を暗くした場合、（Ｃ）は合焦箇所のみを表示した場合である。
【図６】図５に例示した合焦箇所表示を行わない場合の、前記カメラの動作を示すフローチャートである。
【図７】合焦点度合いを段階表示する場合を例示する図である。
【図８】（Ａ）はJEIDAで規格化された画像フォーマットのExifを示す図、（Ｂ）はExifのヘッダー部タグ情報に、カメラの機種、撮影日時などの情報と共に、合焦度合い、合焦箇所の各データを書き込み保存する場合の図である。
【図９】（Ａ）は画像Ａ，画像Ｂ…の画像データと合焦度合いデータと合焦箇所データにそれぞれ拡張子を付し、メモリに格納した場合の図、（Ｂ）は画像Ａ，画像Ｂ…の画像データと合焦度合いデータと合焦箇所データにそれぞれ拡張子を付し、画像データと合焦度合いデータと合焦箇所データにそれぞれ拡張子を付し、それぞれの拡張子毎に別々のメモリに格納した場合の図である。
【符号の説明】
【００５３】
ＤＳＣ…カメラ
ＳＷ1…レリーズシャッター
ＳＷ２…モードダイアル
ＳＷ３…ズームスイッチ（WIDE）
ＳＷ４…ズームスイッチ（TELE）
ＳＷ５…セルフタイマ／削除スイッチ
ＳＷ６…メニュースイッチ
ＳＷ７…上／ストロボスイッチ
ＳＷ８…右／クイックレビュー
ＳＷ９…ディスプレイスイッチ
ＳＷ1０…下／マクロスイッチ
ＳＷ１１…左／画像確認スイッチ
ＳＷ１２…オーケースイッチ
１…サブＬＣＤ
２…メモリカード／電池蓋
３…光学ファインダ
４…ストロボ発光部
５…測距ユニット
６…リモコン受光部
７…鏡胴ユニット
８…オートフォーカスＬＥＤ
９…ストロボＬＥＤ
１０…ＬＣＤモニター（表示装置）
１１…電源スイッチ
２１…レンズユニット（ズームレンズ、フォーカスレンズ）
２２…モータドライバ
３０…信号処理ＩＣ
３１…マイクロコンピュータ（マイコン）
３２…ＣＣＤＩ／Ｆ部
３３…メモリコントローラ３３
３４…表示Ｉ／Ｆ部
３５…画像現像部
３６…ＹＵＶ変換部
３７…圧縮ブロック部
４０…撮像部
４１…ＣＣＤ
４２…タイミング信号発生器（ＴＧ）
４３…ＣＤＳ
４４…アナログゲインコントローラ（ＡＧＣ）
４５…Ａ／Ｄ変換器
４６…アナログフロントエンド（ＡＦＥ）
５０…ＳＤＲＡＭ
５１…JPEGコーデック部
６２…メモリカード
６３…操作部
６４…音声発生用のスピーカー
【図１】
2009027401.tif 000003
【図２】
2009027401.tif 000004
【図３】
2009027401.tif 000005
【図４】
2009027401.tif 000006
【図６】
2009027401.tif 000007
【図８】
2009027401.tif 000008
【図９】
2009027401.tif 000009
【図５】
2009027401.tif 000010
【図７】
2009027401.tif 000011